(57)【要約】【課題】ワンタッチ的な簡易操作でフックの高さ位置調整が可能であり、労力の低減と使用性の向上に寄与できる点滴用スタンドを提供する。【解決手段】点滴用スタンド１は脚部５と、これに支持された支柱７と、一対のフック９、９を有している。各フック９は、上部支柱１５に上下方向にスライド自在に嵌合するホルダ１７と、このホルダ１７に上下方向に回動自在に支持されたフック本体１９とを有している。フック本体１９を回動することにより押圧力でホルダ１７が上部支柱１５に圧接されて摩擦力で固定される。フック本体１９を回動して固定を解除し、所望の位置に移動させた後、回動して固定することにより、各フック９を任意の位置に且つ個別に使用可能に設定することができる。【選択図】        図１
2011010682.tif 000002
【特許請求の範囲】
【請求項１】
点滴液収容体を吊り下げるためのフックを有する支柱と、該支柱を床面に上下方向に延びる状態で支持する脚部とを備えた点滴用スタンドにおいて、
前記フックは、前記支柱に上下方向にスライド自在に設けられたホルダと、該ホルダに回動自在に保持されるとともに該ホルダに対して使用位置で位置決めされるフック本体とを有し、
前記フック本体を前記使用位置に回動したときに、該回動に伴って前記フック本体が前記支柱を直接に又は前記ホルダを介して押圧することにより、前記ホルダが前記支柱に摩擦力で固定されることを特徴とする点滴用スタンド。
【請求項２】
請求項１記載の点滴用スタンドにおいて、
前記フック本体は前記ホルダに上下方向に回動自在に保持されているとともに、前記使用位置で前記ホルダを押圧する凸部を有し、前記ホルダは、前記凸部で押圧されて前記支柱に圧接する弾性変形部を有していることを特徴とする点滴用スタンド。
【請求項３】
請求項２記載の点滴用スタンドにおいて、
前記フック本体は、該フック本体を上記支柱に沿う状態に上方に回動したときに、前記ホルダの前記弾性変形部を押圧して該ホルダを前記支柱に固定する収納用凸部を有していることを特徴とする点滴用スタンド。
【請求項４】
請求項２又は３記載の点滴用スタンドにおいて、
前記弾性変形部が、前記ホルダに形成された上下方向に延びるスリット間に挟まれた領域としてなることを特徴とする点滴用スタンド。
【請求項５】
請求項１〜４のうちのいずれか１つに記載の点滴用スタンドにおいて、
前記フックが上下方向に複数設けられていることを特徴とする点滴用スタンド。
【発明の詳細な説明】
【技術分野】
【０００１】
本発明は、点滴バッグ、点滴瓶、輸液バッグ等の点滴液収容体を吊るすのに用いられる点滴用スタンドに関するものである。
【背景技術】
【０００２】
この種の点滴用スタンドは、床面を移動可能なキャスター付きの脚部に細長い支柱（ポール）が上下方向に延びる状態に支持され、支柱の上端部には点滴バッグ等を吊り下げるためのフックが取り付けられている。
支柱は２重管構造になっており、連結部の摘みやネジを操作して上部ポールを出没させることにより上下高さを調整できるようになっている。
特許文献１、２に開示されているように、フックは支柱の先端部にＴ字状に左右一対あるいは十字状に設けられており、点滴バッグ等を同時に複数吊り下げることができるようになっている。
フックは支柱に対して水平回動により向きを調整できるものも知られているが、床面からの高さ方向においては総じて支柱に対して位置固定されている。
このため、床面からの吊り下げ位置の調整は、上述した支柱の高さ調整によって行われている。
【先行技術文献】
【特許文献】
【０００３】
【特許文献１】特開２００１−１２９０５７号公報
【特許文献２】特開２００６−２３０４７９号公報
【発明の概要】
【発明が解決しようとする課題】
【０００４】
フックによる点滴バッグ等の吊り下げ位置は、点滴を受ける者が立って歩いているような場合とベッドで寝ているような状態ではその最適位置が異なり、病室のレイアウトや点滴用チューブの長さ等の条件によっても吊り下げ位置を調整しなければならない場合がある。使用自由度を上げるために上記のように支柱の高さを調整できるようになっている。
しかしながら、支柱の高さを調整することによってフックの位置を調整する作業は、連結部の摘みやネジを緩めて支柱の高さ調整をした後再度締め付ける操作を必要とするため、労力を要するとともにきわめて面倒であった。
また、フックは点滴バッグ等を吊り下げていない非使用時においても、常に水平方向へ大きく張り出した状態となっているため、フックが引っ掛ったり、邪魔になったりする場合があり、例えば点滴用スタンドを移動させる際にフックが柱などに接触して、点滴用スタンドを倒してしまうおそれがある。  
【０００５】
本発明は、上記した問題点に鑑みてなされたものであり、ワンタッチ的な簡易操作でフックの高さ位置調整が可能であり、労力の低減と使用性の向上に寄与できて、しかもフックが引っ掛ったり、邪魔になったりするのを防止することができる点滴用スタンドの提供を、その目的とする。
【課題を解決するための手段】
【０００６】
上記目的を達成するための、請求項１記載の発明は、点滴液収容体を吊り下げるためのフックを有する支柱と、該支柱を床面に上下方向に延びる状態で支持する脚部とを備えた点滴用スタンドにおいて、前記フックは、前記支柱に上下方向にスライド自在に設けられたホルダと、該ホルダに回動自在に保持されるとともに該ホルダに対して使用位置で位置決めされるフック本体とを有し、前記フック本体を前記使用位置に回動したときに、該回動に伴って前記フック本体が前記支柱を直接に又は前記ホルダを介して押圧することにより、前記ホルダが前記支柱に摩擦力で固定されることを特徴とする点滴用スタンドである。
【０００７】
請求項２記載の発明は、請求項１記載の点滴用スタンドにおいて、前記フック本体は前記ホルダに上下方向に回動自在に保持されているとともに、前記使用位置で前記ホルダを押圧する凸部を有し、前記ホルダは、前記凸部で押圧されて前記支柱に圧接する弾性変形部を有していることを特徴とする点滴用スタンドである。
【０００８】
請求項３記載の発明は、請求項２記載の点滴用スタンドにおいて、前記フック本体は、該フック本体を上記支柱に沿う状態に上方に回動したときに、前記ホルダの前記弾性変形部を押圧して該ホルダを前記支柱に固定する収納用凸部を有していることを特徴とする点滴用スタンドである。
【０００９】
請求項４記載の発明は、請求項２又は３記載の点滴用スタンドにおいて、前記弾性変形部が、前記ホルダに形成された上下方向に延びるスリット間に挟まれた領域としてなることを特徴とする点滴用スタンドである。
【００１０】
請求項５記載の発明は、請求項１〜４のうちのいずれか１つに記載の点滴用スタンドにおいて、前記フックが上下方向に複数設けられていることを特徴とする点滴用スタンドである。
【発明の効果】
【００１１】
本発明によれば、簡単な操作で且つ少ない労力でフックの高さ方向の位置を、使用者の姿勢や使用環境の条件等に応じて任意に調整でき、簡便性と使用性の向上を図ることができる。また、フック本体を支柱に沿う状態に収納できるので、点滴用スタンドを移動させる場合等にフックが引っ掛ったり、邪魔になったりするのを防止することができる。
【図面の簡単な説明】
【００１２】
【図１】本発明の一実施の形態に係る点滴用スタンドの全体斜視図である。
【図２】フックの分解斜視図である。
【図３】ホルダを図２の矢印Ａ側から見た図である。
【図４】フック本体を使用位置に設定した状態の一部断面表示の図である。
【図５】支柱に対するロック状態を解除して上下方向に移動可能な状態を示す図である。
【図６】フック本体上方に回動して収納位置に設定した状態を示す図である。
【発明を実施するための形態】
【００１３】
本発明の実施の形態に係る点滴スタンドを図面にしたがって説明する。
図１に示すように、本実施形態に係る点滴用スタンド１は、床面を移動可能なキャスター３を複数有する脚部５と、この脚部５に上下方向に延びる状態に支持された支柱７と、支柱７に取り付けられた上下一対のフック９、９とを備えている。
支柱７は、脚部５に直接に支持されたパイプ材からなる下部支柱１１と、この下部支柱１１内に出し入れ自在に挿入され、ロック部材１３により任意の出し入れ位置で固定される上部支柱１５とを有している。
ロック部材１３は、回転操作することにより両支柱を固定しあるいは固定を解除できる周知の構成を有している。
図１において、仮想線は上下のフック９を共に上部支柱１５の下端部まで下げた状態を示している。
【００１４】
フック９は、図２に示すように、上部支柱１５に上下方向にスライド自在に嵌合されるホルダ１７と、このホルダ１７に上下方向に回動自在に保持されるフック本体１９とを有している。
ホルダ１７は、上部支柱１５に嵌合する円筒部２１と、この円筒部２１の両側から水平方向へ略平行に延びる一対の保持片２３、２３とを有している。各保持片２３にはフック本体１９を上下方向に回動自在に保持するための軸ピン２５を挿通する挿通穴２３ａが形成されており、軸ピン２５は止め輪２７で抜け止めされる。
【００１５】
フック本体１９は、ホルダ１７の一対の保持片２３、２３間に挿入されて軸ピン２５で回動自在に保持される支持ベース２９と、この支持ベース２９にネジ３１で固定されるレバー部３３とを有している。
支持ベース２９は、ホルダ１７の円筒部２１に対して作用するカム部３５と、このカム部３５の円筒部２１に対向する側と反対側から水平方向へ略平行に延びる一対の支持片３７、３７とを有している。
カム部３５には軸ピン２５を挿通する挿通穴３５ａが形成されており、各支持片３７にはネジ３１を挿通する挿通穴３７ａが形成されている。
【００１６】
カム部３５はブロック状に形成され、使用位置（吊り下げ位置）で上部支柱１５に対してホルダ１７を固定するための凸部３９と、フック本体１９を上部支柱１５に沿う状態に上方に回動したときにホルダ１７を固定するための収納用凸部４１と、フック本体１９をホルダ１７に対して使用位置で位置決めするための位置決め凸部４３とを有している。
レバー部３３の基端部には、ネジ３１が螺合するネジ穴３３ｃが形成され、支持片３７、３７間に挿入して両側から異なる対角線上に位置するネジ３１で固定されるようになっている。
レバー部３３にはその先端部（自由端部）に形成された点滴バッグ等を吊り下げるための凹部３３ａの他に、補助的に他のものを引っ掛けることができる補助凹部３３ｂを有している。
【００１７】
図３に示すように、ホルダ１７の円筒部２１における保持片２３、２３で挟まれた部分には、下端部を残して上下方向に延びる一対のスリット４５、４５が形成されており、スリット４５、４５に挟まれた領域は弾性変形可能な弾性変形部４７としてなる。
【００１８】
以下にフック９の使用動作を説明する。
図４は、フック９を点滴バッグ等を吊り下げる使用位置に設定した状態を示している。フック本体１９を、図５に示す上部支柱１５に対してスライド移動可能な非固定状態あるいは図６に示す収納状態から下方向に回動すると、凸部３９が弾性変形部４７を押圧する。この押圧力によって弾性変形部４７は上部支柱１５に圧接され、摩擦力によってホルダ１７は上部支柱１５に固定される。
この場合、厳密には、弾性変形部４７が上部支柱１５に圧接するだけでなく、円筒部２１の弾性変形部４７に対向する部位もフック本体１９側へ引かれて上部支柱１５に圧接される。これによってフック９を上部支柱１５の任意の位置で強固に固定することができる。
【００１９】
この圧接固定動作と同時に、フック本体１９の位置決め凸部４３が円筒部２１の下端部に当接し、ホルダ１７に対するフック本体１９の使用位置での位置決めがなされる。
すなわち、位置決め凸部４３によってフック本体１９はホルダ１７に対して略水平となる使用位置から下方への回動を阻止されている。
なお、図４では分かり易くするために、ホルダ１７をスリット４５部位での断面表示としている（図５、図６において同じ）。
【００２０】
図４に示す高さ位置から、フック９を上下方向に移動する場合には、図５に示すように、フック本体１９を上方に回動して凸部３９によるロック状態を解除する。
フック本体１９の回動中心（軸ピン２５の中心）から凸部３９の端面（押圧面）までの距離Ｒ１は、回動中心からフック本体１９の先端までの距離Ｒ２に比べてきわめて短いため、テコの原理により少ない労力（回動操作力）でロック、ロック解除を行うことができる。
回動中心から収納用凸部４１の端面までの距離Ｒ３はＲ１と同程度に設定されている。
回動中心から、凸部３９と収納用凸部４１の間の平面領域４９までの距離Ｒ４は、上部支柱１５に対してスライド移動可能なロック解除状態を維持できるように、Ｒ１やＲ３よりも短く設定されている。
【００２１】
このロック解除操作は片手で簡単に行うことができ、その状態でフック本体１９又はホルダ１７を持ってスライドさせることにより、フック９を上部支柱１５の任意の位置に位置付けることができる。
点滴バッグを吊り下げた状態のままで移動操作することもでき、あるいは、点滴バッグを外して一方の手で持ち、他方の手でフック９のロック解除、移動、位置固定を行うこともできる。従来においては片手で支柱の高さを調整するのは極めて困難である。
上部支柱１５とホルダ１７は円形嵌合であるので、ロック解除状態では水平方向においても任意の位置に設定することができる。勿論、角形嵌合にして水平方向には位置固定してもよい。
図５はフック本体１９の自重回動により凸部３９の端が弾性変形部４７に接触した状態を示しているが、この状態では弾性変形部４７を変形させる押圧力は作用せず、上部支柱１５に対するホルダ１７のスライド移動は妨げられない。
所望の高さ位置に移動させた後、図４で説明したようにフック本体１９を下方に回動して使用位置に設定することにより、ロックすることができる。
【００２２】
図６は、フック９を収納した状態を示している。使用状態ではフック本体１９が水平方向に突出するため、使用しない時は引っ掛かったり邪魔になったりする懸念がある。
このため、フック９を使用しない時は、上方に回動してフック本体１９を上部支柱１５に沿うように収納する。上方に回動すると、収納用凸部４１が弾性変形部４７を押圧し、上記と同様の摩擦力でホルダ１７が上部支柱１５に固定され、フック９は収納された状態に維持される。
このようにすれば、フック９が引っ掛ったり、邪魔になったりすることがなくなり、例えば点滴用スタンドを移動させる際にフック本体１９が柱などに接触して、点滴用スタンド１を倒してしまう事故を防止することが可能となる。従って、使用時の上記懸念を回避することができるとともに、流通時や保管時のコンパクト性にも寄与できる。
【００２３】
上記では一方のフック９についての使用動作を説明したが、他方のフック９についても同様である。
従来においては、フックがＴ字状又は十字状に一体形成されているため、点滴バッグ等を複数同時に使用することができるものの、各フックの上下方向の位置を変えて使用することはできなかった。
これに対し、本実施形態のようにフック９を上下に複数備えている場合、各フック９を個別に任意の位置に設定することができ、使用バリエーションを格段に向上させることができる。すなわち、１台の点滴用スタンドを複数の人が同時に使用するような場合、各使用者側の条件が異なっても簡単な操作で各フック９をそれぞれ最適な使用位置に設定することができる。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、上記の実施形態では、ホルダ１７の円筒部２１に弾性変形部４７を設ける構成としたが、ホルダ１７をＵ字状に形成してカム部３５を直接上部支柱１５に圧接するようにしてもよい。この場合、ホルダ１７の内面に摩擦係数の高い層（ゴム層や粗面）を形成したり、あるいはカム部３５を硬質ゴム等で形成したりしてもよい。
【００２５】
上記の実施形態では、フック本体１９を上下方向に回動して操作する構成としたが、水平方向に回動してロック・ロック解除する構成とすることもできる。
また、フック本体１９を収納する構成において、収納用凸部４１を設けずに、上部支柱１５の上端部にフック本体１９を係止するキャッチ部材を設けるようにしてもよい。
また、上記の実施形態ではフック９のみを移動させる操作を例示したが、支柱の高さ調整と組み合わせて行うことができるのは言うまでもない。
【符号の説明】
【００２６】
１…点滴用スタンド      ５…脚部      ７…支柱
１７…ホルダ      １９…フック本体      ３９…凸部
４１…収納用凸部      ４５…スリット      ４７…弾性変形部
【図１】
2011010682.tif 000003
【図２】
2011010682.tif 000004
【図３】
2011010682.tif 000005
【図４】
2011010682.tif 000006
【図５】
2011010682.tif 000007
【図６】
2011010682.tif 000008